(57)【特許請求の範囲】
【請求項１】
黒豚の油脂から選ばれ、ミスチリン酸（Ｃ１４：０）、ミリストレイン酸（Ｃ１４：１）、パルミチン酸（Ｃ１６：０）、パルミトレイン酸（Ｃ１６：１）、マーガリン酸（Ｃ１７：０）、Ｈｅｐｔａｄｅｃｅｎｏｉｃ  ａｃｉｄ（Ｃ１７：１）、ステアリン酸（Ｃ１８：０）、オレイン酸（Ｃ１８：１）、リノール酸（Ｃ１８：２）、リノレン酸（Ｃ１８：３）の１０種の脂肪酸からなり、オレイン酸（３０．００〜３９．７０ｗｔ％）、パルミチン酸（１８．００〜３５．００ｗｔ％）、ステアリン酸（６．００〜２５．００ｗｔ％）、リノール酸（６．００〜２５．００ｗｔ％）、ミリスチン酸（０．８０〜３．５０ｗｔ％）の主成分に、リノレン酸（０．８０〜３．５０ｗｔ％）、パルミトレイン酸（１．５０〜８．８０ｗｔ％）、ミリストレイン酸（０．８０〜２．００ｗｔ％）を含み、またその脂質中にα−トコフェロールを５００μｇ／１００ｇ以上含有していて、脂肪酸中の不飽和脂肪酸が５３．９１ｗｔ％以下、油脂の融点が３６〜４８℃の黒豚油脂の単一素地からなる薬用油脂。
【発明の詳細な説明】
【発明の詳細な説明】
【技術分野】
【０００１】  本発明は、α−トコフェロール（ビタミンＥ）を含む甘藷成分を添加した飼料により育成された黒豚の脂質を利用する薬用油脂に関し、黒豚の解体時に廃棄される脂肪分の特定部位を利用するものであって、例えば、石鹸、シャンプー、化粧用クリーム、マッサージオイル、ヘアーコンディショナー、メイクアップ用品（口紅、アイライナー、ファンデーション等）、整髪料、襟・袖の汚れ防止剤、オムツ・看護衣類のかぶれ防止剤、料理用油脂（例えば、ラード、炒物油等）、食用油脂添加物（例えば、ケーキ、クッキー等）あらゆる分野で利用する薬用油脂に関するものである。
【背景技術】
【０００２】従来、例えば特開２００２−３５６４２１号公報には、（ａ）抗酸化剤；及び（ｂ）脂肪酸が、損傷をうけた哺乳動物細胞の蘇生のために必要な脂肪酸である飽和及び不飽和の脂肪酸の混合物を含有する哺乳動物細胞の損傷を防止及び低減し、そして損傷を受けた哺乳動物細胞の蘇生速度を増大させるための治療用組成物が記載されている（請求項１）。【０００３】  そして、この抗酸化剤がアルファートコフェロールを含み、飽和及び不飽和の脂肪酸の混合物がオレイン酸、パルミチン酸、パルミトオレイン酸、ステアリン酸、リノール酸、ミリスチン酸を含むこと、さらに飽和及び不飽和の脂肪酸の混合物が豚脂肪も含むことが示されている（請求項３、４）。【０００４】  また、抗酸化剤が治療用組成物中、該組成物の１０〜５０重量％の量で存在し、飽和及び不飽和の脂肪酸の混合物が治療用組成物中、該組成物の１０〜５０重量％の量で存在することが示されている。【０００５】  さらに、この治療用組成物は、それ自体で、局所用製品、摂取可能な製品及び組織培養培地に使用して、哺乳動物の細胞を保護しそして損傷された哺乳動物の細胞の蘇生速度を増大することができ、例えば、角化症、光老化および日焼光反応性プロセスのような種々な皮膚病学的症患の治療におけるような局所用スキンケアー製品に使用して、皮膚組織を保護しそして皮膚組織の蘇生速度を増大することができる旨等々の効果が記載されている。【０００６】  しかしながら、前記抗酸化剤である市販のα−トコフェロールを含むビタミンＥを添加剤として使用することは極めて高価である。また、黒豚の解体時に廃棄される脂肪分を安価に有効利用するものでない。【０００７】  また、上記公報においては、α〜δ−トコフェロール全てが有効とされているが、α−トコフェロール以外は殆んど抗酸化作用がない。さらに、前記飽和及び不飽和脂肪酸の混合物が豚脂肪の他、人脂肪、鶏脂肪、牛脂肪、馬脂肪、鯨脂肪が選択できる旨記載されているが、これら全ての飽和及び不飽和の脂肪酸の混合物中にオレイン酸、パルミチン酸、パルミトオレイン酸、ステアリン酸、リノール酸、ミリスチン酸のすべてが同様の有効脂肪酸が有効量含まれているものかどうか疑わしい。また、上記治療用組成物にはミリストレイン酸、リノレン酸は含まれておらず、さらに不飽和脂肪酸の含有量も示されていない。
【発明が解決しようとする課題】
【０００８】本発明は、α−トコフェロール（ビタミンＥ）を含む甘藷成分を添加した飼料により育成された黒豚の脂質を利用し、黒豚の解体時に廃棄される脂肪分の特定部位を利用するものであって、従来例のように添加剤としてα−トコフェロール（ビタミンＥ）を多く添加してはいないが、その脂質中有効な抗酸化剤としてのα−トコフェロールと、薬効として充分な飽和及び不飽和の脂肪酸の混合物とが適量含有されており、油脂中の不飽和脂肪酸が５３．９１ｗｔ％以下で、融点が３６〜４８℃の黒豚豚脂の単一素地からなり、極めて安価で簡単に得られる薬用油脂を提供することにある。
【課題を解決する手段】
【０００９】  請求項１の発明は、黒豚の油脂から選ばれ、ミスチリン酸（Ｃ１４：０）、ミリストレイン酸（Ｃ１４：１）、パルミチン酸（Ｃ１６：０）、パルミトレイン酸（Ｃ１６：１）、マーガリン酸（Ｃ１７：０）、Ｈｅｐｔａｄｅｃｅｎｏｉｃ  ａｃｉｄ（Ｃ１７：１）、ステアリン酸（Ｃ１８：０）、オレイン酸（Ｃ１８：１）、リノール酸（Ｃ１８：２）、リノレン酸（Ｃ１８：３）の１０種の脂肪酸からなり、オレイン酸（３０．００〜３９．７０ｗｔ％）、パルミチン酸（１８．００〜８５．００ｗｔ％）、ステアリン酸（６．００〜２５．００ｗｔ％）、リノール酸（６．００〜２５．００ｗｔ％）、ミリスチン酸（０．８０〜３．５０ｗｔ％）の主成分に、リノレン酸（０．８０〜３．５０ｗｔ％）、パルミトレイン酸（１．５０〜８．８０ｗｔ％）、ミリストレイン酸（０．８０〜２．００ｗｔ％）を含み、またその脂質中にα−トコフェロールを５００μｇ／１００ｇ以上含有していて、脂肪酸中の不飽和脂肪酸が５３．９１ｗｔ％以下、油脂の融点が３６〜４８℃の黒豚油脂の単一素地からなる薬用油脂を提供するものである。
【００１０】  この発明においては、黒豚の解体時に廃棄される脂肪分の特定部位を利用することができ、また市販のα−トコフェロールを添加することなく、α−トコフェロールを含む甘藷を添加した飼料により育成された黒豚の脂質であっても、抗酸化剤としての薬効成分を充分含む薬用油脂を得ることができる。また、市販のα−トコフェロールを添加するのと異なり、甘藷を添加した飼料により育成された黒豚の脂質に生成するα−トコフェロールは、各脂肪酸、特にリノレン酸のアトピー性皮膚炎の改善作用を相乗的に高める作用があるものと考えられる。脂質中のα−トコフェロールは好ましくは６００μｇ／１００ｇ以上、より好ましくは８５０μｇ／１００ｇ以上である。
【００１１】  また、特にリノレン酸、パルミトレイン酸、ミリストレイン酸の不飽和脂肪酸は一般の白豚には存在しない。リノレン酸はアトピー性皮膚炎の予防・改善、各種炎症の抑制、免疫機能の正常化、美肌効果、脱毛・湿疹の抑制に優れている。また、パルミトレイン酸は酸化および加熱に強い。さらに、ミリストレイン酸は潤滑剤、増粘剤の働きがあり、室温で溶解しやすく比較的高い油脂の融点を調整することができる。なお、含有する脂肪酸はミスチリン酸（Ｃ１４：０）、ミリストレイン酸（Ｃ１４：１）パルミチン酸（Ｃ１６：０）、パルミトレイン酸（Ｃ１６：１）、マーガリン酸（Ｃ１７：０）、Ｈｅｐｔａｄｅｃｅｎｏｉｃ  ａｃｉｄ（Ｃ１７：１）、ステアリン酸（Ｃ１８：０）、オレイン酸（Ｃ１８：１）、リノール酸（Ｃ１８：２）、リノレン酸（Ｃ１８：３）の１０種の脂肪酸からなり、これら脂肪酸の炭素数がＣ１４：０〜Ｃ１８：３の範囲のものであるため、例えば化粧料として使用した場合、肌への刺激が少ない。肌への刺激が少ないのは炭素数１２以上である。ちなみに牛脂は炭素数約６である。
【００１２】  また、一般の白豚やα−トコフェロールを５００μｇ／１００ｇ以上含まない黒豚の不飽和脂肪酸含量が通常５６．３５ｗｔ％以上（表５ＬＦ（無）参照）であるが、黒豚の不飽和脂肪酸含量が５３．９１ｗｔ％以下（表５ＬＦ（有）参照）となると、油脂の融点が３６〜４８℃と高くなり、さらさらとした容易に溶解しない（固形形状が崩れない）脂質となる。黒豚は上記のような脂質中に良質な飽和及び不飽和脂肪酸の組成範囲となると共に、油脂の融点が高くなると黒豚油脂の単一素地であっても充分鹸化が促進される。それは、黒豚の油脂がそれ自体の鹸化率が高いためと、他の油脂のように牛脂や植物油脂等を混合した複数素地でなくとも、黒豚油脂の単一素地で容易に鹸化が得られる。このことはおそらく上記良質な脂肪酸の組成範囲を有し、かつ不飽和脂肪の酸含量が抑制されるためと考えられる。これに対し、例えば白豚やα−トコフェロールを５００μｇ／１００ｇ以上含まない黒豚の油脂は融点が低く過ぎるためべとべととしており、それ自体の鹸化率も低く、他の油脂（牛脂や植物油脂等）を含む複数素地でないと良質な油脂が得られず鹸化も充分に促進されないものと比べて大きくその性質を異にする。
【発明を実施するための最良の形態】
【００１３】  一般に黒豚の体脂肪の性質は、給与飼料やその給与量、飼料の脂肪、体重、品種、豚体の部位等により変動があり、脂肪酸組成にも差がある。また、飼養的観点から見た場合、甘藷等の澱粉質を飼育後期に多給した黒豚（鹿児島バークシャー）の脂肪は白く、硬くなり、したがって肉質も良くなると言われている。【００１４】  実験例１
そこで、本実施例では、黒豚（鹿児島バークシャー）について鹿児島特産物である甘藷（コガネセンガン）を給与した場合の飼養試験を実施し、選別した肉質（背部皮下外層脂肪、皮下内層脂肪、腎臓周囲脂肪の融点と脂肪酸組成等）に及ぼす影響を比較検討した。【００１５】（１）実験材料：
本実験に使用する供試脂防は、去勢雄２頭、雌２頭に分けて、試験区と無給与区を設けた。生体重３０〜５０ｋｇまでは両区とも市販配合飼料（ＴＤＮ７６．５％、ＤＣＰ１２％）を自由給餌とし、生体重５０〜９０ｋｇまでは、甘藷給与区と無給与区の自家配合飼料（表１）を制限給餌（表２）して飼育した。【００１６】  生体重５０〜７０ｋｇまでサイレージとして３０％添加、７０〜９０ｋｇまで５０％添加した自家配合飼料（ＴＤＮ７３％、ＤＣＰ１１．５％）を給与し、デンマーク式豚舎で群飼育を行い、各供試豚が生体重９０±２ｋｇに到達した時点で試験を終了し、湯はぎ法によりと殺解体し、一昼夜放冷した後、左半丸枝肉より試料を採取した。その脂肪組織部位は、腰椎部の背部皮下外層脂肪（以下「ＨＯ」と略記）、皮下内層脂肪（以下「ＨＩ」と略記）および腎臓周囲脂肪（以下「ＬＦ」と略記）の３部位であり、採取後直ちにそれぞれミートチョッパーで細切混合したものを真空包装した後約−２０℃で凍結保存し、必要に応じて解凍使用した。【００１７】
【表１】
0004512881.tif 000002
注１；甘藷粉末中にはα−トコフェロル（ビタミンＥ中の成分）が約２５７μｍ／ｇ含まれている。
注２；混合６号とはトウモロコシ９８％と魚粉２％との混合飼料
注３；サイレージの供給量は風乾物に換算して与えた（甘藷粉末の３倍）【００１８】
【表２】
0004512881.tif 000003
【００１９】（２）実験方法：
Ａ．脂肪融点の測定；
▲１▼試料調整；
ミートチョッパーで細切混合したＨＯ、ＨＩ、ＬＦの３部位を１０５℃の恒温器内で溶融ろ過した後、内径１ｍｍ、長さ３０ｍｍの毛細管内に１０ｍｍの長さとなるように採取した。これを２〜３℃で２４時間冷却し、完全に固化させてから上昇融点法を用いて測定した。【００２０】  ▲２▼測定方法；
調整した毛細管の脂肪を満たした部分３本を５０℃用留点温度計の球部に輪ゴムで密着させ下端を揃える。この温度計を蒸留水に満たした融点測定管に完全に浸し固定する。さらに、この融点測定管を水の入った１ｌ用ビーカーに完全に浸した後、ビーカーを初めは１分間に２℃ずつ上昇するようにガスバーナーで加温し、融点の約１０℃以下に達してからは、１分間に０．５℃ずつ上昇するように加温を続け、試料が溶融して毛細管を上昇し始める温度をもって融点とした。【００２１】  Ｂ．脂肪酸組成の分析；
▲１▼脂質の抽出；
ミートチョッパーでミンチにされた脂肪組織（ＨＯ，ＨＩ，ＬＦ）の適量（約３０ｇ）をビーカーに取り、これを８０℃のＷａｔｅｒ  Ｂａｔｈ上で加熱・溶融した。溶出した脂肪を４層のガーゼでろ過して試験管に集めた後、沸騰蒸留水で５回洗浄し遊離脂肪酸を除去した。【００２２】  ▲２▼メチルエステル化；
上述の方法で得られた各脂質試料０．１ｍｌを２ｍｌ容アンプルに注射器を用いて取り、これに０．５Ｎナトリウムメチラート２．０ｍｌ、さらに小さなガラス玉を１個加え封管した。これらアンプルを約６０℃Ｗａｔｅｒ  Ｂａｔｈ中で２．５〜３時間加熱攪拌し、メチルエステル化した。その後、室温まで冷却し、次の分析まで約−２０℃のストッカーに貯蔵して随時解凍して分析した。【００２３】  ▲３▼ガスクロマトグラフィー分析用試料調整；
上述のメチルエステル化した試料に４ｍｌのヘキサンを加え、よく混和すると２層に分離するが、脂肪酸メチルエステルの含まれている上層の液層を三角フラスコに移した。この操作を４回繰り返して集められたヘキサン溶液に無水硫酸ナトリウムを適量（大さじ約１．５杯）加えて脱水後、東洋ろ紙Ｎｏ．６でろ過した。ろ液１．２ｍｌをナス型フラスコに採り、ロータリーエバポレータを用いて４０℃で減圧乾固したものを分析試料としてガスクロマトグラフィーで分析した。【００２４】  ▲４▼ガスクロマトグラフィーの運転条件；
装置は島津製作所ＧＣ−６ＡＭ型を用い、検出器には水素炎イオン化検出器（ＦＩＤ）を用いた。カラムは内径３ｍｍ、長さ３．０ｍのステンレススチール製を使用し、充填材はＤＥＧＳ＋Ｈ３ＰＯ４（５＋１％）でＣｏａｔｉｎｇしたガスクロ工業の６０〜８０メッシュのＣｈｒｏｍｏｓｏｒｂ  Ｗ（ＡＷ）を用いた。分析時のカラム温度は２００℃の定温、注入部（インジェクター）温度および検出器（ディテクター）温度は２５０℃とし、キャリアーガスは窒素を用い、流速３０ｍｌ／ｍｉｎとして記録紙速度（チャートスピード）は２０ｍｍ／ｍｉｎの条件で分析を行った。【００２５】  ▲５▼各脂肪酸含量の定量；
ガスクロマトグラフィーで分析した記録紙上のピーク成分の確認の同定は、標準脂肪酸メチルエステルのＲｅｔｅｎｔｉｏｎ  ｔｉｍｅと照合して行った。各脂肪酸のピーク面積は、チャートのコピーを各ピーク毎に切り取り、デジタル自動面積計（林電工ＫＫ製）で測定し、各脂肪酸含量の割合を全ピーク面積に対する各ピーク面積の百分率として表した。【００２６】（３）結果と考察：
Ａ．試験；
甘藷供給区（生体重５０〜７０ｋｇまでをサイレージとして３０％添加、７０〜９０ｋｇまでをサイレージとして５０％添加）と無給与区との脂肪融点、脂肪酸組成および不飽和脂肪酸含量の測定値の平均値、標準誤差を示し、給与区別について二元配置およびＤｕｎｃａｎ法により検定を行った結果を表３〜５に示した。以下の試験もこれに準じて行った。【００２７】（１）脂肪融点；
脂肪融点の結果を表３に示した。甘藷供与区（有）と無給与区（無）とを比較すると、３部位ともに甘藷を給与することにより融点が高くなり、ＨＩ、ＬＦにおいて有意差が認められた。【００２８】
【表３】
0004512881.tif 000004
注１（ＨＯ）は皮下外層脂肪、（ＨＩ）は皮下内層脂肪、（ＬＰ）は腎臓周囲脂肪
注２（有）（無）は甘藷給与有無【００２９】（２）脂肪酸組成；
脂肪酸組成の測定結果を平均値で示すと表４に示すと通りである。確認同定された脂肪酸は、ミスチリン酸（Ｃ１４：０）、ミリストレイン酸（Ｃ１４：１）、パルミチン酸（Ｃ１６：０）、パルミトレイン酸（Ｃ１６：１）、マーガリン酸（Ｃ１７：０）、Ｈｅｐｔａｄｅｃｅｎｏｉｃ  ａｃｉｄ（Ｃ１７：１）、ステアリン酸（Ｃ１８：０）、オレイン酸（Ｃ１８：１）、リノール酸（Ｃ１８：２）、リノレン酸（Ｃ１８：３）、１０種であり、量的には前記油脂中にオレイン酸（３６．８１〜３９．７０ｗｔ％）、パルミチン酸（２３．９０〜２８．７９ｗｔ％）、ステアリン酸（１６．５３〜２０．３０ｗｔ％）、リノール酸（６．７０〜７．１３ｗｔ％）、ミリスチン酸（１．３８〜１．４８ｗｔ％）を主成分とし、さらにリノレン酸（２．６３〜３．１２ｗｔ％）、パルミトレイン酸（２．２０〜２．９６ｗｔ％）、ミリストレイン酸（１．４７〜１．６２ｗｔ％）の組成範囲で、マーガリン酸とＨｅｐｔａｄｅｃｅｎｏｉｃ  ａｃｉｄは極微量であった。【００３０】  実験の条件により、組成範囲としてはオレイン酸（３０．００〜３９．７０ｗｔ％）、パルミチン酸（１８．００〜３５．００ｗｔ％）、ステアリン酸（６．００〜２５．００ｗｔ％）、リノール酸（６．００〜２５．００ｗｔ％）、ミリスチン酸（０．８０〜３．５０ｗｔ％）を主成分とし、さらにリノレン酸（０．８０〜３．５０ｗｔ％）、パルミトレイン酸（１．５０〜８．８０ｗｔ％）、ミリストレイン酸（０．８０〜２．００ｗｔ％）の組成範囲が許容されるものと思われる。【００３１】
【表４】
0004512881.tif 000005
【００３２】  一般的に、ミスチリン酸（Ｃ１４：０）、パルミチン酸（Ｃ１６：０）、マーガリン酸（Ｃ１７：０）、ステアリン酸（Ｃ１８：０）の４脂肪酸の含量合計を飽和脂肪酸含量、ミリストレイン酸（Ｃ１４：１）、パルミトレイン酸（Ｃ１６：１）、Ｈｅｐｔａｄｅｃｅｎｏｉｃ  ａｃｉｄ（Ｃ１７：１）、オレイン酸（Ｃ１８：１）、リノール酸（Ｃ１８：２），リノレン酸（Ｃ１８：３）、の６脂肪酸の含量合計を不飽和脂肪酸含量として、その含量の増減によって脂肪の品質を判定する。つまり、一般の白豚の不飽和脂肪酸の含量は６０％以上であるが、黒豚は不飽和脂肪酸の含量が５３．９１ｗｔ％以下に減少して飽和脂肪酸含量が増加すれば脂肪融点が３６〜４８℃と高くなり良質となる。【００３３】（３）不飽和脂肪酸含量；
先に述べた不飽和脂肪酸含量（Ｃ１４：１、Ｃ１６：１、Ｃ１７：１、Ｃ１８：１、Ｃ１８：２、Ｃ１８：３の合計）の甘藷給与による変化を表５に示す。【００３４】
【表５】
0004512881.tif 000006
注１（ＨＯ）は皮下外層脂肪、（ＨＩ）は皮下内層脂肪、（ＬＰ）は腎臓周囲脂肪
注２（有）（無）は甘藷給与有無【００３５】  ▲１▼給与区別比較；
不飽和脂肪酸含量について、甘藷給与区（有）は無給与区（無）に比べ少ない値を示した。有意性を調べると、３部位ともに甘藷給与区（有）は無給与区（無）と比べ明らかな有意差が認められた。そして、前述の通り甘藷を給与すると融点が３６℃以上と高くなり、不飽和脂肪酸の含量も５３．９１ｗｔ％以下と減少することが分かった。尚、３部位の融点について見ると、ＨＯ→ＨＩ→４ＬＦと順に体の内部に向かって高くなる傾向（表３）が認められた。α−トコフェロールの含量はＨＯ、ＨＩ、ＬＦの平均で５００〜１５００μｍ／１００ｇ以上である。【００３６】  実験例２
通常の配合肥料と、少なくともα−トコフェロール（粉末換算として約２５７μｍ／ｇ含む）を含有する固液分離しないそのままの甘藷焼酎廃液（水分約９５％）に乳酸菌を加えて醗酵させた甘藷焼酎廃液と、水とを、１．０：２．５〜３．５：０．５〜１．５の割合で混合し、水分７５〜８５％とした液状飼料を作成した。この液状飼料を３５頭の供試黒豚（鹿児島バークシャー）に給与した。【００３７】  これらの供試黒豚から採取した脂肪酸（ＨＯ、ＨＩ、ＬＦ）中のα−トコフェロール含量について２区間比較すると、表６に示す如く、焼酎廃液供給区は水混合区（配合飼料と水）に比べα−トコフェロール含量が２．３〜２．５倍と著しく増加していた。この結果、甘藷焼酎廃液に含まれるα・トコフェロールが豚の脂肪組織中に含有して抗酸化剤としての効果が示唆された。【００３８】
【表６】
0004512881.tif 000007
【００３９】  以下の実験で使用される薬用油脂は、腰椎部の背部皮下外層脂肪「ＨＯ」、皮下内層脂肪「ＨＩ」および腎臓周囲脂肪「ＬＦ」の３部位を選定して使用する。【００４０】  実験例３
本発明の薬用油脂を使用して石鹸を製造した。先ず、この薬用油脂を溶融し、精製水と苛性ソーダを加えて攪拌してから釜にて焚く。それに塩・砂糖を加えて攪拌する。このときグリセリン、エタノール、クエン酸ナトリウム、乳酸、桧油、竹炭等を加えても良い。その後不純物を除去して約２時間熟成させる。砂糖は保湿剤及び成分を冷やさない役目がある。塩は石鹸全体の引き締めと光沢を出す役目がある。桧油、竹炭は豚油脂の消臭効果がある。このように製造された石鹸を約１ヶ月間２０名に使用した結果、殆とんどの人が肌のしっとり感及び乾燥肌も改善された。特にアトピー性皮膚炎の改善に大きな効果が得られた。これは、前記したように、抗酸化作用を有するα−トコフェロールとリノレン酸等との相乗効果によるものと考えられる。【００４１】  実験例４
本発明の薬用油脂を植物性油等で希釈し、その希釈液を赤ちゃんのお尻に噴霧、又は薬用油脂のクリームを塗布した。その結果、オムツかぶれやただれ等が改善された。【００４２】  実験例５
本発明の薬用油脂を植物性油等で希釈し、その希釈液をワイシャツの襟と袖に噴霧した結果、洗濯時にワイシャツの襟と袖の汚れは綺麗に落ちた。ワイシャツの襟と袖の繊維内に浸透する汚れは噴霧された油脂の膜に遮られ繊維内に浸透せず、膜とともに洗い流されたものと思われる。【００４３】  尚、実験はしていないがその他、シャンプー、化粧用クリーム、マッサージオイル、ヘアーコンディショナー、メイクアップ用品（例えば、口紅、アイライナー、ファンデーション等）、整髪料、看護衣類のかぶれ防止剤、料理用油脂（例えば、ラード、炒物油等）、食用油脂添加物（例えば、ケーキ、クッキー等）あらゆる分野に薬効があるものと思われる。
【発明の効果】
【００４４】  上記の如く本発明においては、黒豚の解体時に廃棄される脂肪分の特定部位を利用することができ、また市販のα−トコフェロールを添加することなく、α−トコフェロールを含む甘藷を添加した飼料により育成された黒豚の脂質であっても、抗酸化剤としての薬効成分を充分含む薬用油脂を得ることができる。
【００４５】  また、特にリノレン酸、パルミトレイン酸、ミリストレイン酸の不飽和脂肪酸は一般の白豚には存在しない。リノレン酸はアトピー性皮膚炎の予防・改善、各種炎症の抑制、免疫機能の正常化、美肌効果、脱毛・湿疹の抑制に優れている。また、パルミトレイン酸は酸化および加熱に強い。さらに、ミリストレイン酸は潤滑剤、増粘剤の働きがあり、室温で溶解しやすく、比較的高い油脂の融点を調整することができる。なお、含有する脂肪酸はミスチリン酸（Ｃ１４：０）、ミリストレイン酸（Ｃ１４：１）、パルミチン酸（Ｃ１６：０）、パルミトレイン酸（Ｃ１６：１）、マーガリン酸（Ｃ１７：０）、Ｈｅｐｔａｄｅｃｅｎｏｉｃ  ａｃｉｄ（Ｃ１７：１）、ステアリン酸（Ｃ１８：０）、オレイン酸（Ｃ１８：１）、リノール酸（Ｃ１８：２）、リノレン酸（Ｃ１８：３）の１０種の脂肪酸からなり、これら脂肪酸の炭素数がＣ１４：０〜Ｃ１８：３の範囲のものであるため、例えば化粧料として使用した場合、肌への刺激が少ない。
【００４６】  また、一般の白豚やα−トコフェロールを５００μｇ／１００ｇ以上含まない黒豚の不飽和脂肪酸含量は通常５６．３５ｗｔ％以上であるが、黒豚の不飽和脂肪酸含量が５３．９１ｗｔ％以下となると、油脂の融点が３５〜４８℃以上と高くなり、さらさらとした容易に溶解しない（固形形状が崩れない）脂質となる。黒豚は上記のような脂質中に良質な飽和及び不飽和脂肪酸の組成範囲となると共に、油脂の融点が高くなると黒豚油脂の単一素地であっても充分鹸化が促進される。それは、黒豚の油脂がそれ自体の鹸化率が高いためと、他の油脂のように牛脂や植物油脂等を混合した複数素地でなくとも、黒豚油脂の単一素地で容易に鹸化が得られる。このことはおそらく上記良質な脂肪酸の組成範囲を有し、かつ不飽和脂肪の酸含量が抑制されるためと考えられる。